(57)【要約】【課題】負荷に一定の電圧を印加することができるようにする。【解決手段】入力電圧に基づいて高圧電圧を発生させる倍電圧整流回路１２と、倍電圧整流回路１２の出力端子と負荷２６との間に直列に接続された抵抗Ｒ４と、倍電圧整流回路１２の出力端子の電圧を検出する定電圧回路１４と、前記抵抗Ｒ４を流れる電流を検出し、検出された電流に基づいて補正値を算出し、前記定電圧回路１４に送る電流検出回路３２とを有する。定電圧回路１４は、検出された電圧及び補正値に基づいて入力電圧をオン・オフ制御する。抵抗Ｒ４を流れる電流に基づいて補正値が算出され、検出された電圧及び補正値に基づいて入力電圧がオン・オフ制御されるので、抵抗Ｒ４に流れる電流によって電圧降下が発生するのを防止することができる。【選択図】図１
2005210865.tif 000002
【特許請求の範囲】
【請求項１】
（ａ）入力電圧に基づいて高圧電圧を発生させる倍電圧整流回路と、
（ｂ）該倍電圧整流回路の出力端子と負荷との間に直列に接続された抵抗と、
（ｃ）前記倍電圧整流回路の出力端子の電圧を検出する定電圧回路と、
（ｄ）前記抵抗を流れる電流を検出し、検出された電流に基づいて補正値を算出し、前記定電圧回路に送る電流検出回路とを有するとともに、
（ｅ）前記定電圧回路は、検出された電圧及び補正値に基づいて入力電圧をオン・オフ制御することを特徴とする高圧電源装置。
【請求項２】
（ａ）前記倍電圧整流回路は、一次側回路及び二次側回路を備え、
（ｂ）前記電流検出回路は、前記倍電圧整流回路の二次側回路を流れる電流に基づいて前記電流を検出する請求項１に記載の高圧電源装置。
【請求項３】
前記電流検出回路は、前記電流に基づいて補正値を制限する電流制限部を備える請求項１に記載の高圧電源装置。
【請求項４】
（ａ）画像を形成するために高圧電圧が印加される負荷と、
（ｂ）入力電圧に基づいて高圧電圧を発生させる倍電圧整流回路と、
（ｃ）該倍電圧整流回路の出力端子と前記負荷との間に直列に接続された抵抗と、
（ｄ）前記倍電圧整流回路の出力端子の電圧を検出する定電圧回路と、
（ｅ）前記抵抗を流れる電流を検出し、検出された電流に基づいて補正値を算出し、前記定電圧回路に送る電流検出回路とを有するとともに、
（ｆ）前記定電圧回路は、検出された電圧及び補正値に基づいて入力電圧をオン・オフ制御することを特徴とする画像形成装置。
【発明の詳細な説明】
【技術分野】
【０００１】
本発明は、高圧電源装置及び画像形成装置に関するものである。
【背景技術】
【０００２】
従来、プリンタ、複写機、ファクシミリ装置等の画像形成装置、例えば、電子写真式のプリンタにおいては、帯電ローラ、現像ローラ、転写ローラ等の各種の負荷に高圧の電圧を印加する必要があり、そのために、高圧電源装置が配設されるようになっている（例えば、特許文献１参照。）。
【０００３】
図２は従来の高圧電源装置の回路図である。
【０００４】
図に示されるように、高圧電源装置１１は、倍電圧整流回路１２、定電圧回路１４、抵抗Ｒ４等を備え、該抵抗Ｒ４を介して倍電圧整流回路１２の出力端子と負荷２６とが接続される。
【０００５】
前記倍電圧整流回路１２の一次側においては、トランジスタＱ１にダイオードＤ１、Ｄ２のカソードが接続され、ダイオードＤ２のアノードにはコンデンサＣ１及びトランスＴ１の一次側が接続される。また、コンデンサＣ１及びトランスＴ１の一次側には電源Ｖｃｃが接続される。さらに、前記倍電圧整流回路１２の二次側においては、トランスＴ１の二次側にダイオードＤ３のカソード及びコンデンサＣ２が接続される。
【０００６】
そして、定電圧回路１４は、前記倍電圧整流回路１２と抵抗Ｒ４との間に接続され、抵抗Ｒ１と抵抗Ｒ２との間にＡ／Ｄ変換部２１が、その先に、コンパレータ２４が、更にその先にはＰＷＭ（パルスワイドモジュレーション）回路２５が接続される。また、コンパレータ２４の前に格納レジスタ２２が接続され、該格納レジスタ２２に設定レジスタ２３が接続される。
【０００７】
なお、前記抵抗Ｒ４は負荷２６と定電圧回路１４との間に接続される。
【０００８】
次に、前記構成の高圧電源装置１１の動作について説明する。
【０００９】
前記ＰＷＭ回路２５によって出力されたパルス電圧がトランジスタＱ１にＰＷＭ入力として入力され、トランジスタＱ１がオンのとき、電源ＶｃｃからトランスＴ１の一次側、及びダイオードＤ２を介してトランジスタＱ１のコレクタからエミッタに電流が流れ、トランスＴ１にエネルギーが蓄積される。
【００１０】
次に、トランジスタＱ１がオフのとき、トランスＴ１の一次側及びコンデンサＣ１が、充放電を繰り返すＬＣ共振回路を構成し、電圧Ｖ１で共振電圧を発生させる。該共振電圧は、トランスＴ１の二次側に転送されて電圧Ｖ２を発生させる。該電圧Ｖ２は、トランスＴ１の巻数比率、ダイオードＤ３のリカバリ時間の特性等によって倍電圧化され、コンデンサＣ２によって平滑化され、定電圧回路１４によって定電圧化されることにより、一定の電圧Ｖ３を得ることができる。
【００１１】
そして、定電圧回路１４においては、電圧Ｖ３と電源Ｖｄｄの電圧とが抵抗Ｒ１、Ｒ２によって分圧され、それに伴って、得られる電圧Ｖ６が前記Ａ／Ｄ変換部２１においてディジタル値に変換される。この場合、電圧Ｖ６に基づいて、前記倍電圧整流回路１２の出力端子の電圧を検出することができる。また、設定レジスタ２３には、あらかじめディジタル値から成る初期値Ａが格納され、前記設定レジスタ２３は、初期値Ａを格納レジスタ２２に転送する。
【００１２】
さらに、Ａ／Ｄ変換部２１から出力されるディジタル値と前記初期値Ａとがコンパレータ２４によって比較され、ディジタル値が初期値Ａより高い場合、コンパレータ２４はハイレベルの電圧を出力し、ディジタル値が初期値Ａ以下である場合、コンパレータ２４はローレベルの電圧を出力する。また、ＰＷＭ回路２５は、コンパレータ２４からハイレベルの電圧が出力されると、ローレベルの電圧を出力し、コンパレータ２４からローレベルの電圧が出力されると、パルス電圧を出力し、該パルス電圧が、トランジスタＱ１に対して出力される。このようにして、ＰＷＭ回路２５によってトランジスタＱ１のベースの入力電圧がオン・オフ制御される。
【００１３】
なお、前記負荷２６に接続される抵抗Ｒ４は、負荷２６からの静電ノイズ又は部品に故障が発生したときに、倍電圧整流回路１２、定電圧回路１４等を保護するために配設される。
【特許文献１】特開平１１−８９２２６号公報
【発明の開示】
【発明が解決しようとする課題】
【００１４】
しかしながら、前記従来の高圧電源装置においては、定電圧回路１４と負荷２６との間に抵抗Ｒ４が接続されるので、該抵抗Ｒ４に流れる電流によって電圧降下が発生し、電圧Ｖ３より低い電圧Ｖ４が負荷２６に印加されることになる。さらに、負荷２６から抵抗Ｒ４に流れる電流ｉ1 によって電圧降下の値が変化するので、負荷２６に目標とする一定の電圧を印加することができない。
【００１５】
本発明は、前記従来の高圧電源装置の問題点を解決して、負荷に一定の電圧を印加することができる高圧電源装置及び画像形成装置を提供することを目的とする。
【課題を解決するための手段】
【００１６】
そのために、本発明の高圧電源装置においては、入力電圧に基づいて高圧電圧を発生させる倍電圧整流回路と、該倍電圧整流回路の出力端子と負荷との間に直列に接続された抵抗と、前記倍電圧整流回路の出力端子の電圧を検出する定電圧回路と、前記抵抗を流れる電流を検出し、検出された電流に基づいて補正値を算出し、前記定電圧回路に送る電流検出回路とを有する。
【００１７】
そして、前記定電圧回路は、検出された電圧及び補正値に基づいて入力電圧をオン・オフ制御する。
【発明の効果】
【００１８】
本発明によれば、高圧電源装置においては、入力電圧に基づいて高圧電圧を発生させる倍電圧整流回路と、該倍電圧整流回路の出力端子と負荷との間に直列に接続された抵抗と、前記倍電圧整流回路の出力端子の電圧を検出する定電圧回路と、前記抵抗を流れる電流を検出し、検出された電流に基づいて補正値を算出し、前記定電圧回路に送る電流検出回路とを有する。
【００１９】
そして、前記定電圧回路は、検出された電圧及び補正値に基づいて入力電圧をオン・オフ制御する。
【００２０】
この場合、前記抵抗を流れる電流に基づいて補正値が算出され、検出された電圧及び補正値に基づいて入力電圧がオン・オフ制御されるので、抵抗に流れる電流によって電圧降下が発生するのを防止することができる。したがって、負荷に目標とする一定の電圧を印加することができる。
【発明を実施するための最良の形態】
【００２１】
以下、本発明の実施の形態について図面を参照しながら詳細に説明する。この場合、画像形成装置のうちのプリンタについて説明する。
【００２２】
図３は本発明の第１の実施の形態におけるプリンタの概略図である。
【００２３】
図において、４０は回転自在に配設された像担持体としての感光体ドラムであり、該感光体ドラム４０の表面を帯電部材としての帯電ローラ４１によって一様に、かつ、均一に帯電させ、露光装置４３によって露光すると、感光体ドラム４０の表面に静電潜像が形成される。そして、該静電潜像を現像部材としての現像ローラ４４によって現像して、トナー像を形成し、該トナー像を転写部材としての転写ローラ５１によって媒体に転写し、転写されたトナー像を図示されない定着装置によって媒体に定着させると、画像が形成される。前記現像ローラ４４には、トナー供給部材としてのトナー供給ローラ４６が当接させて配設され、トナーを現像ローラ４４に供給する。そして、転写が行われた後に、感光体ドラム４０に残留したトナーは、クリーニング部材としてのクリーニングローラ５３によって、除去され、回収される。
【００２４】
ところで、前記帯電ローラ４１には帯電電源４２が、現像ローラ４４には現像電源４５が、トナー供給ローラ４６にはトナー供給電源４７が、転写ローラ５１には転写電源５２が、クリーニングローラ５３にはクリーニング電源５４がそれぞれ接続される。ここで、前記帯電電源４２、現像電源４５、トナー供給電源４７、転写電源５２、クリーニング電源５４等によって高圧電源装置が構成され、帯電ローラ４１、現像ローラ４４、トナー供給ローラ４６、転写ローラ５１、クリーニングローラ５３等によって、高圧電源装置により高圧電圧が印加される負荷が構成される。
【００２５】
図１は本発明の第１の実施の形態における高圧電源装置の回路図、図４は本発明の第１の実施の形態における倍電圧整流回路の波形図である。
【００２６】
図に示されるように、高圧電源装置３１は、入力電圧としての電圧Ｖ１に基づいて高圧電圧としての電圧Ｖ３を発生させる倍電圧整流回路１２、定電圧回路１４、電流検出回路３２、抵抗Ｒ４等を備え、該抵抗Ｒ４を介して、前記帯電ローラ４１（図３）、現像ローラ４４、トナー供給ローラ４６、転写ローラ５１、クリーニングローラ５３等の負荷２６と接続される。
【００２７】
前記倍電圧整流回路１２の一次側においては、トランジスタＱ１にダイオードＤ１、Ｄ２のカソードが接続され、ダイオードＤ２のアノードにはコンデンサＣ１及びトランスＴ１の一次側が接続される。また、コンデンサＣ１及びトランスＴ１の一次側には電源Ｖｃｃが接続される。さらに、前記倍電圧整流回路１２の二次側においては、トランスＴ１の二次側にダイオードＤ３のカソード及びコンデンサＣ２が接続される。なお、前記トランジスタＱ１、ダイオードＤ１、Ｄ２、コンデンサＣ１等によって一次側回路、また、ダイオードＤ３、コンデンサＣ２等によって二次側回路が構成される。
【００２８】
なお、前記トランジスタＱ１のエミッタ及びダイオードＤ１のアノードは接地させられる。
【００２９】
そして、定電圧回路１４は、前記倍電圧整流回路１２と抵抗Ｒ４との間に接続され、抵抗Ｒ１と抵抗Ｒ２との間にＡ／Ｄ変換部２１が、その先に、コンパレータ２４が、更にその先にはＰＷＭ回路２５が接続される。また、コンパレータ２４の前に格納レジスタ２２が接続され、該格納レジスタ２２に設定レジスタ２３が接続される。そして、前記格納レジスタ２２と電流検出回路３２とが接続される。
【００３０】
なお、抵抗Ｒ４は、負荷２６と定電圧回路１４との間に接続される。
【００３１】
前記電流検出回路３２においては、コンデンサＣ２とＳＧ（シグナルグラウンド）との間に電流検出用の抵抗Ｒ３が接続され、更にコンデンサＣ２と抵抗Ｒ３との間に、Ａ／Ｄ変換部３３が接続され、該Ａ／Ｄ変換部３３と前記格納レジスタ２２との間に、計算部３４が配設される。
【００３２】
次に、前記構成の高圧電源装置３１の動作について説明する。
【００３３】
前記ＰＷＭ回路２５によって出力された信号電圧としてのパルス電圧がトランジスタＱ１にＰＷＭ入力として入力され、トランジスタＱ１がオンのとき、電源ＶｃｃからトランスＴ１の一次側、及びダイオードＤ２を介してトランジスタＱ１のコレクタからエミッタに電流が流れ、トランスＴ１にエネルギーが蓄積される。
【００３４】
次に、トランジスタＱ１がオフのとき、トランスＴ１の一次側及びコンデンサＣ１が、充放電を繰り返すＬＣ共振回路を構成し、電圧Ｖ１で共振電圧を発生させる。該共振電圧は、トランスＴ１の二次側に転送されて電圧Ｖ２を発生させる。該電圧Ｖ２は、トランスＴ１の巻数比率、ダイオードＤ３のリカバリ時間の特性等によって倍電圧化され、コンデンサＣ２によって平滑化され、定電圧回路１４によって定電圧化されることにより、一定の電圧Ｖ３を得ることができる。
【００３５】
そして、定電圧回路１４においては、電圧Ｖ３と電源Ｖｄｄの電圧とが抵抗Ｒ１、Ｒ２によって分圧され、それに伴って、得られる電圧Ｖ６がＡ／Ｄ変換部２１においてディジタル値に変換される。また、設定レジスタ２３には、あらかじめディジタル値から成る初期値Ａが格納され、設定レジスタ２３は、該初期値Ａを格納レジスタ２２に転送する。
【００３６】
そして、格納レジスタ２２には、前記計算部３４の出力である補正値δＶが送られ、格納レジスタ２２に前記初期値Ａと補正値δＶとを加算した値（Ａ＋δＶ）が格納される。
【００３７】
さらに、Ａ／Ｄ変換部２１から出力されるディジタル値と前記値（Ａ＋δＶ）とがコンパレータ２４によって比較され、ディジタル値が値（Ａ＋δＶ）より高い場合、コンパレータ２４はハイレベルの電圧を出力し、ディジタル値が値（Ａ＋δＶ）以下である場合、コンパレータ２４からローレベルの電圧を出力する。また、前記ＰＷＭ回路２５は、コンパレータ２４によってハイレベルの電圧が出力されると、ローレベルの電圧を出力し、コンパレータ２４によってローレベルの電圧が出力されると、パルス電圧を出力し、該パルス電圧が、トランジスタＱ１に対して出力される。このようにして、ＰＷＭ回路２５によってトランジスタＱ１のベースの入力電圧がオン・オフ制御される。
【００３８】
なお、前記負荷２６に接続される抵抗Ｒ４は、負荷２６からの静電ノイズ又は部品に故障が発生したときに、倍電圧整流回路１２、定電圧回路１４、電流検出回路３２等を保護するために配設される。
【００３９】
ところで、前記負荷２６から抵抗Ｒ４、ダイオードＤ３、トランスＴ１の二次側、抵抗Ｒ３を介して電流ｉ１が流れることによって、負荷２６に加わる電圧Ｖ４と抵抗Ｒ４の前の定電圧回路１４によって得られる電圧Ｖ３との間では、電圧差ΔＶ
ΔＶ＝Ｖ３−Ｖ４
が生じる。
【００４０】
また、電源Ｖｄｄからも抵抗Ｒ２、Ｒ１、ダイオードＤ３、電流検出抵抗Ｒ３を介して電流ｉ２が流れる。その結果、前記電流検出抵抗Ｒ３には、電流ｉ１＋ｉ２が流れ、前記Ａ／Ｄ変換部３３及び計算部３４によって電圧Ｖ５が検出される。検出された電圧Ｖ５は、Ａ／Ｄ変換部３３においてディジタル値に変換される。
【００４１】
そして、計算部３４において、電圧Ｖ５のディジタル値に基づいて計算することによって抵抗Ｒ４に流れる電流ｉ１が検出され、さらに、該電流ｉ１に基づいて電圧差ΔＶを計算し、該電圧差ΔＶに相当する補正電圧δＶが格納レジスタ２２に対して出力される。
【００４２】
次に、各電流値、電圧値の計算式について説明する。なお、ここではＡ／Ｄ変換による計算は省略する。
【００４３】
ｉ２＝（Ｖｄｄ−Ｖ３）／（Ｒ１＋Ｒ２）
Ｖ５＝Ｒ３・（ｉ１＋ｉ２）
ｉ１＝（Ｖ５−Ｒ３・ｉ２）／Ｒ３
＝｛Ｖ５−Ｒ３・（Ｖｄｄ−Ｖ３）／（Ｒ１＋Ｒ２）｝／Ｒ３
ΔＶ＝Ｒ４・ｉ１
前記計算部３４の補正電圧Ｖは、
δＶ＝ΔＶ・Ｒ２／（Ｒ１＋Ｒ２）
＝Ｒ２・Ｒ４・｛Ｖ５−Ｒ３・（Ｖｄｄ−Ｖ３）／（Ｒ１＋Ｒ２）｝／
｛Ｒ３・（Ｒ１＋Ｒ２）｝
になる。
【００４４】
次に、数値例について説明する。
【００４５】
図５は本発明の第１の実施の形態における補正前の電流と電圧との関係を示す図、図６は本発明の第１の実施の形態における補正後の電流と電圧との関係を示す図、図７は本発明の第１の実施の形態における高圧電源回路の動作を示すタイムチャートである。なお、図５及び６において、横軸に電流ｉ１を、縦軸に電圧Ｖ３、Ｖ４を採ってある。
【００４６】
この場合、目標の電圧Ｖ４を−１０００〔Ｖ〕とする。そして、電源Ｖｄｄの電圧を５〔Ｖ〕とし、抵抗Ｒ１を１００〔ＭΩ〕とし、抵抗Ｒ２を２００〔ｋΩ〕とし、電流検出抵抗Ｒ３を１００〔ｋΩ〕とし、抵抗Ｒ４を１〔ＭΩ〕とし、負荷２６の抵抗を５０〔ＭΩ〕とする。
【００４７】
また、設定レジスタ２３（図１）には、電圧Ｖ３が−１０００〔Ｖ〕となる初期値Ａ＝１５３〔ＲＥＧ〕があらかじめ格納される。なお、初期値Ａの最大値を２５５〔ＲＥＧ〕とする。
【００４８】
次に、抵抗Ｒ４には電流ｉ１
ｉ１＝１０００〔Ｖ〕／５０〔ＭΩ〕
＝２０〔μＡ〕
が流れることになる。現在、電圧Ｖ３は−１０００〔Ｖ〕であるが、抵抗Ｒ４によって電圧差ΔＶは、
ΔＶ＝２０〔μＡ〕・１〔ＭΩ〕
＝２０〔Ｖ〕
になり、目標の電圧Ｖ４は−９８０〔Ｖ〕となる。このときの電流ｉ１と電圧Ｖ３、Ｖ４との関係は図５に示されるようになる。
【００４９】
次に、前記電流検出回路３２によって補正を行う。この場合において、電流ｉ２
ｉ２＝（５〔Ｖ〕＋１０００〔Ｖ〕）／（１００〔ＭΩ〕＋２００〔ＫΩ〕）
≒１０〔μＡ〕
が流れている。したがって、電圧Ｖ５
Ｖ５＝１００〔ＫΩ〕・（１０〔μＡ〕＋２０〔μＡ〕）
＝３〔Ｖ〕
が検出される。そして、電圧Ｖ５が検出されると、補正値δＶ
δＶ＝２〔ＲＥＧ〕
が算出され、格納レジスタ２２に初期値Ａ
Ａ＝１５３〔ＲＥＧ〕
との合計の値（Ａ＋δＶ）
Ａ＋δＶ＝１５５〔ＲＥＧ〕
が格納される。この場合、ＲＥＧは格納レジスタ２２に格納するためのディジタル値を表す。なお、定電圧回路１４は、前記格納レジスタ２２の値（Ａ＋δＶ）に基づいてＰＷＭ回路２５の出力を発生させ、電圧Ｖ２を定電圧化して電圧Ｖ３を−１０２０〔Ｖ〕とする。その結果、目標の電圧Ｖ４は−１０００〔Ｖ〕になり、このときの電流ｉ１と電圧Ｖ３、Ｖ４との関係は図６に示されるようになる。
【００５０】
また、各電圧Ｖ３〜Ｖ６、電流ｉ１、値（Ａ＋δＶ）、コンパレータ２４の出力、ＰＷＭ回路２５の出力等は、図７に示されるようになる。
【００５１】
図から分かるように、電流ｉ１が多くなっても、その都度補正値δＶが変化させられ、値（Ａ＋δＶ）が変化させられるので、電圧Ｖ４を一定にすることができる。
【００５２】
このように、本実施の形態においては、抵抗Ｒ４に流れる電流ｉ１を検出し、該電流ｉ１によって抵抗Ｒ４の電圧降下を表す電圧差ΔＶを算出し、定電圧回路１４の格納レジスタ２２に電圧差ΔＶに相当する補正値δＶを送り、該補正値δＶを初期値Ａに加算するようにしているので、抵抗Ｒ４に流れる電流ｉ１によって電圧降下が生じるのを防止することができる。したがって、負荷２６に印加される電圧Ｖ４を一定にすることができる。
【００５３】
次に、本発明の第２の実施の形態について説明する。なお、第１の実施の形態と同じ構造を有するものについては、同じ符号を付与することによってその説明を省略し、同じ構造を有することによる発明の効果については同実施の形態の効果を援用する。
【００５４】
図８は本発明の第２の実施の形態における高圧電源装置の回路図、図９は本発明の第２の実施の形態における高圧電源装置の動作を示すフローチャート、図１０は本発明の第２の実施の形態における電流制限後の電流と電圧との関係を示す図である。なお、図１０において、横軸に電流ｉ１を、縦軸に電圧Ｖ３、Ｖ４を採ってある。
【００５５】
この場合、電流検出回路３２において、計算部３４と格納レジスタ２２との間に電流制限部３５が配設される。したがって、電流検出回路３２において、電圧Ｖ５が検出されると、該電圧Ｖ５はＡ／Ｄ変換部３３によってディジタル値に変換され、電圧Ｖ５のディジタル値が計算部３４に送られる。該計算部３４は、前記電圧Ｖ５に基づいて補正値δＶを算出し、該補正値δＶを前記電流制限部３５に送る。
【００５６】
該電流制限部３５には、最大値Ｂがあらかじめ設定され、補正値δＶが最大値Ｂ以下である場合、計算部３４の出力である補正値δＶを、補正値δＶが最大値Ｂより大きい場合、最大値Ｂを補正値δＶとして格納レジスタ２２に対して出力する。したがって、図１０に示されるように、電流ｉ１が所定の値α以下である場合、電圧Ｖ３、Ｖ４は一定電圧となり、電流ｉ１が想定外に多く流れると、電流制限部３５によって補正値δＶが制限され、電圧Ｖ３、Ｖ４が抑制される。
【００５７】
このように、本実施の形態においては、電圧Ｖ３は電流ｉ１に比例して高くなるが、電流ｉ１が想定外に多く流れると、電圧Ｖ３、Ｖ４が抑制されるので、放電が発生するのを防止することができる。
【００５８】
次に、フローチャートについて説明する。
ステップＳ１  電圧Ｖ５を検出する。
ステップＳ２  Ａ／Ｄ変換部３３において電圧Ｖ５をディジタル値に変換する。
ステップＳ３  計算部３４において補正値δＶを算出する。
ステップＳ４  補正値δＶが最大値Ｂより小さいかどうかを判断する。補正値δＶが最大値Ｂより小さい場合はステップＳ５に、補正値δＶが最大値Ｂ以上である場合はステップＳ６に進む。
ステップＳ５  補正値δＶを格納レジスタ２２に出力する。
ステップＳ６  最大値Ｂを補正値δＶとして格納レジスタ２２に出力する。
ステップＳ７  格納レジスタ２２に値（Ａ＋δＶ）を格納し、処理を終了する。
【００５９】
なお、前記動作は所定の間隔又は所定のタイミングで行われる。
【００６０】
本実施の形態においては、マイナス出力の高圧電源装置３１について説明したが、プラス出力の高圧電源装置にも適用することができる。
【００６１】
なお、本発明は前記実施の形態に限定されるものではなく、本発明の趣旨に基づいて種々変形させることが可能であり、それらを本発明の範囲から排除するものではない。
【図面の簡単な説明】
【００６２】
【図１】本発明の第１の実施の形態における高圧電源装置の回路図である。
【図２】従来の高圧電源装置の回路図である。
【図３】本発明の第１の実施の形態におけるプリンタの概略図である。
【図４】本発明の第１の実施の形態における倍電圧整流回路における波形図である。
【図５】本発明の第１の実施の形態における補正前の電流と電圧との関係を示す図である。
【図６】本発明の第１の実施の形態における補正後の電流と電圧との関係を示す図である。
【図７】本発明の第１の実施の形態における高圧電源回路の動作を示すタイムチャートである。
【図８】本発明の第２の実施の形態における高圧電源装置の回路図である。
【図９】本発明の第２の実施の形態における高圧電源装置の動作を示すフローチャートである。
【図１０】本発明の第２の実施の形態における電流制限後の電流と電圧との関係を示す図である。
【符号の説明】
【００６３】
１２    倍電圧整流回路
１４    定電圧回路
２６    負荷
３１    高圧電源装置
３２    電流検出回路
３５    電流制限部
Ｒ４    抵抗
【図１】
2005210865.tif 000003
【図２】
2005210865.tif 000004
【図３】
2005210865.tif 000005
【図４】
2005210865.tif 000006
【図５】
2005210865.tif 000007
【図６】
2005210865.tif 000008
【図７】
2005210865.tif 000009
【図８】
2005210865.tif 000010
【図９】
2005210865.tif 000011
【図１０】
2005210865.tif 000012